【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】  ａ  分子当たり少なくとも２個のヒドロキシ基を有し、
i  カルボキシレート-および／またはカルボン酸-官能基の含量Cおよび
ii  スルホネート-および／またはスルホン酸-官能基の含量S
を有し、全含量C+Sが0.09〜0.6ミリモル／gポリオールであり、比C/Sが0.5〜20の値を有する、ポリオールまたはポリオールの混合物ならびに；
b  ヒドロキシ基と反応することができる１つ以上の架橋剤
を含む水性コーティング組成物。
【請求項２】  比C/Sが１〜５である（好ましくは1.5〜３）請求項１記載の組成物。
【請求項３】  スルホネートおよび／またはスルホン酸ならびにカルボキシレートおよび／またはカルボン酸基の全酸含量が0.18〜0.36ミリモル／gポリオールである請求項１または２記載の組成物。
【請求項４】  組成物中のポリオールの少なくとも一部が、カルボキシレートおよび／またはカルボン酸官能基ならびにスルホネートおよび／またはスルホン酸官能基の両方を含むポリオールである請求項１〜３のいずれか１項記載の組成物。
【請求項５】  組成物が、カルボキシレート-および／またはカルボン酸-官能基を含むポリオールと、スルホネート-および／またはスルホン酸-官能基を含むポリオールとの混合物のエマルジョンまたは分散物を含む請求項１〜４のいずれか１項記載の組成物。
【請求項６】  組成物が、カルボキシレート-および／またはカルボン酸-官能基を有するポリオールの第１のエマルジョンまたは分散物と、スルホネート-および／またはスルホン酸-官能基を有するポリオールの第２のエマルジョンまたは分散物との混合物を含む請求項１〜５のいずれか１項記載の組成物。
【請求項７】  架橋剤が、親水性基を有することができる、ポリイソシアネートまたはポリイソシアネートの混合物である請求項１〜６のいずれか１項記載の組成物。
【請求項８】  ポリオールが、ポリアクリレート、ポリエステル、ポリエーテル、ポリウレタン、ポリエステルウレタン、それらのアクリレート化ハイブリッドおよび／またはそれらの混合物からなる群より選択される請求項１〜７のいずれか１項記載の組成物。
【請求項９】  スルホン酸基およびカルボン酸基の50％超が、アミン（好ましくは３級アミン）で中和されている請求項１〜８のいずれか１項記載の組成物。
【請求項１０】  カルボキシレート-および／またはカルボン酸-官能基の含量Cならびにスルホネート-および／またはスルホン酸-官能基の含量Sを有するポリオール樹脂であって、スルホネートおよび／またはスルホン酸ならびにカルボキシレートおよび／またはカルボン酸基の全含量C+Sが0.09〜0.6ミリモル／gポリオールであり、比C/Sが0.5〜20の値を有することを特徴とするポリオール樹脂。
【請求項１１】  請求項１０記載のポリオール樹脂の製造方法であって、以下の段階：
-  カルボン酸またはスルホン酸官能基を含まず、カルボキシレートまたはスルホネート官能基を含まない、ヒドロキシ官能性のオレフィン性不飽和モノマーの混合物を、溶媒系の溶液中で重合して疎水性ポリオールを得ること；
-  モノマー混合物の一部が重合した後、その混合物に、該モノマーと、ヒドロキシ基、カルボン酸および／またはカルボキシレート基および／またはスルホン酸および／またはスルホネート基を有するオレフィン性不飽和モノマーとの混合物を添加して、親水性ポリオールを得ること；
-  温度を上げることによって溶媒を蒸発させること；
-  ポリオールを水およびアミンの混合物中に分散させること
を含む方法。
【請求項１２】  カルボン酸官能性および／またはカルボキシレート官能性基および／またはスルホン酸官能性および／またはスルホネート官能基を有するモノマーが、カルボン酸もしくはスルホン酸官能基または、カルボキシレートもしくはスルホネート基を含まないモノマーの約50〜90重量％（好ましくは60〜80重量％）が重合された後に添加される請求項１１記載の方法。
【請求項１３】  請求項１〜９のいずれか１項記載のコーティング組成物を、透明または着色された仕上塗または下塗として使用する方法。
【手続補正２】
【補正対象書類名】明細書
【補正対象項目名】０００３
【補正方法】変更
【補正の内容】
【０００３】
ヒロミ  ハラカワによる、プログレス  イン  オーガニック  コーティングス(Progress in Organic Coatings), 34, 1998, 84-90頁における論文「自動車の水系下塗に適当な水性アクリル系分散物のレオロジー特性(The rheological properties of an acrylic dispersion suitable for automotive waterborne basecoats)」は、自動車工業のための金属下塗として使用するために特に設計された幾つかのコーティング組成物を開示する。施与後、そのような下塗は一般に、透明な仕上塗で上塗りされる。この刊行物に開示された組成物のうちの１つは、スルホネート-およびカルボキシレート-官能性ポリオールならびに内部的に架橋されたラテックスおよびメラミンホルムアルデヒド硬化性樹脂を含む。内部的に架橋されたラテックスは、コーティング組成物に、硬化中アルミニウムフレークの配向を固定させるのに適当な構造を与える。これは、コーティング組成物の流れを妨げ、他の目的、例えば、優れたレベリング、平滑性および光沢が必要とされる仕上塗としての使用のために適当でなくする。スルホネート基およびカルボキシレート基を含むポリオールは、40mgKOH／g樹脂（約0.72ミリモル／ｇ樹脂）の高い酸価を有する。高い酸含量の結果として、そのようなコーティングは非常に低い湿度耐性を示す。
【手続補正３】
【補正対象書類名】明細書
【補正対象項目名】０００６
【補正方法】変更
【補正の内容】
【０００６】
ドイツ国特許出願公開DE-A 44 10 557号は、カルボキシレートおよび／またはスルホネート基を有するポリオールを含む水性２成分コーティング組成物を開示する。同様の組成物がまた、欧州特許出願EP-A 0 358 979号およびEP-A 0 557 844により開示されている。しかしながら、これらの刊行物のいずれも、カルボキシレート基とスルホネート基との特定の比を開示しない。
【手続補正４】
【補正対象書類名】明細書
【補正対象項目名】００３６
【補正方法】変更
【補正の内容】
【００３６】
アクリルポリマーの製造のために適する溶剤は、芳香族炭化水素、例えば、トルエン、キシレン若しくはエチルベンゼン；アルコール、例えば、エタノール、イソプロパノール、ｎ−ブタノール、２−ブタノール、ヘキサノール若しくはベンジルアルコール；ケトン、例えば、メチルエチルケトン、メチルイソブチルケトン、メチルアミルケトン若しくはエチルアミルケトン；エステル、例えば、ブチルアセテート、ブチルプロピオネート、エトキシエチルプロピオネート、エチルグリコールアセテート、ブチルグリコールアセテート、メトキシプロピルアセテート；エーテル、例えば、２−メトキシプロパノール、２−メトキシブタノール、エチレングリコール、モノブチルエーテル、プロピレングリコールモノプロピルエーテル、プロピレングリコールモノブチルエーテル、ジオキソラン、又はそれらの混合物を含む。
【手続補正５】
【補正対象書類名】明細書
【補正対象項目名】００６１
【補正方法】変更
【補正の内容】
【００６１】
適切なポリイソシアネート硬化剤は、例えば、１，６−ジイソシアナトヘキサン、イソホロンジイソシアネート、２，４−トルエンジイソシアネート、２，６−トルエンジイソシアネート、ジフェニルメタン‐ジイソシアネート、４，４’−ビス（イソシアナト‐シクロヘキシル）メタン、１，４−ジイソシアナトブタン、１，５−ジイソシアナト−２，２−ジメチルペンタン、２，２，４−トリメチル−１，６−ジイソシアナトヘキサン、１，１０−ジイソシアナトデカン、４，４−ジイソシアナトシクロヘキサン、２，４−ヘキサヒドロトルエンジイソシアネート、２，６−ヘキサヒドロトルエンジイソシアネート、ノルボルナンジイソシアネート、１，３−キシリレンジイソシアネート、１，４−キシリレンジイソシアネート、１−イソシアナト−３−（イソシアナトメチル）−１−メチルシクロヘキサン、ｍ−α，α−α’，α’−テトラメチルキシリレンジイソシアネートである。特に好ましいイソシアネート硬化剤は、トリイソシアネート、例えば、１，８−ジイソシアナト−４−（イソシアナトメチル）オクタン、並びにポリイソシアネート、例えば、ビウレット、イソシアヌレート、アロファナート、ウレタジオン、ウレタン、及びそれらの混合物のアダクト及びオリゴマーである。そのようなオリゴマー及びアダクトの例は、３モルのトルエンジイソシアネート対１モルのトリメチロールプロパンのアダクト、１，６−ジイソシアナトヘキサンのイソシアヌレート三量体、イソホロンジイソシアネートのイソシアヌレート三量体、１，６−ジイソシアナトヘキサンのウレタジオン二量体、１，６−ジイソシアナトヘキサンのビウレット三量体、１，６−ジイソシアナトヘキサンのアロファナート変性された三量体又はより高分子のオリゴマー、３モルのｍ−α，α−α’，α’−テトラメチルキシリレンジイソシアネート対１モルのトリメチロールプロパンのアダクト、及びそれらの混合物である。